(57)【要約】【課題】本体を分解することなく、引き紐を容易に取り付けたり取り外したりする。【解決手段】凸部３は、内板２１の外面に突設し、凹所３０を備えている。外部操作用フック６は、一部が内板２１の外部に突出しているＬ字状の引っ掛け部６１を備えている。引き紐７は、結び目７０を備えている。引き紐７を取り付ける場合、先ず、凸部３の凹所３０に、引き紐７の結び目７０を係合して固定する。次に、外部操作用スイッチ６を、カバー２０の内部に位置合わせしながら設置する。その後、引き紐７を、外部操作用フック６の引っ掛け部６１に引っ掛けて係合する。また、引き紐７の引張部７１をカバー２０の凹部２０９から外部に引き出す。引き紐７を取り外す場合、引き紐７を、凸部３の凹所３０及び外部操作用フック６の引っ掛け部６１から取り外す。【選択図】図１
2006244408.tif 000002
【特許請求の範囲】
【請求項１】
検知手段と、
前記検知手段の動作を切り替えるスイッチと、
開口部を有し前記検知手段及び前記スイッチを収納する本体と、
一部を前記開口部から外部に突出するように前記本体に収納され前記スイッチを駆動させるフックと、
前記本体の外面に突設する凸部と、
一端部を前記凸部に係合し中央部を前記フックの一部に引っ掛けて係合し他端部側からの引張操作により前記フックを作動させる引き紐と
を備えることを特徴とする検知器。
【請求項２】
前記引き紐が、前記一端部に結び目を備え、
前記凸部が、前記結び目を引っ掛けて係合する凹所を備える
ことを特徴とする請求項１記載の検知器。
【請求項３】
前記本体が、前記フックに係合する弾性凸部を内部に備えることを特徴とする請求項１又は２記載の検知器。
【請求項４】
前記フックが、前記本体の外部に突出する釦を備えることを特徴とする請求項１〜３のいずれか記載の検知器。
【発明の詳細な説明】
【技術分野】
【０００１】
本発明は、例えば火災警報器や人感センサとして用いられる検知器に関するものである。
【背景技術】
【０００２】
従来、この種の検知器は、例えば、火災の発生を検知する火災警報器や人の存在等を検知する人感センサ等として市販されている。例えば、特許文献１には、引き紐と、本体（検知器本体）と、本体の内面に突設する固定用フックと、警報音停止スイッチを動作させるための外部操作用フックとを備える検知器が開示されている。上記特許文献１の検知器において、引き紐は、本体の内部で、固定用フック及び外部操作用フックに係合している。
【特許文献１】特開２００４−２３４０８９号公報（第３頁−第５頁及び第２図）
【発明の開示】
【発明が解決しようとする課題】
【０００３】
しかしながら、上記従来の検知器は、引き紐を必要とする場合や不要な場合に、本体を分解しなければならないので、引き紐を容易に取り付けたり取り外したりすることができないという問題があった。一方、引き紐が不要な場合に、本体を分解しないで引き紐のうち外部に露出する部分を切断すると、外観を損なうとともに、引き紐の残部が本体の内部に入り込むことにより、誤動作が発生するという問題があった。
【０００４】
本発明は上記の点に鑑みて為されたものであり、その目的とするところは、本体を分解することなく、引き紐を容易に取り付けたり取り外したりすることができる検知器を提供することにある。
【課題を解決するための手段】
【０００５】
請求項１に記載の発明は、検知手段と、前記検知手段の動作を切り替えるスイッチと、開口部を有し前記検知手段及び前記スイッチを収納する本体と、一部を前記開口部から外部に突出するように前記本体に収納され前記スイッチを駆動させるフックと、前記本体の外面に突設する凸部と、一端部を前記凸部に係合し中央部を前記フックの一部に引っ掛けて係合し他端部側からの引張操作により前記フックを作動させる引き紐とを備えることを特徴とする。
【０００６】
この構成では、本体を分解することなく、引き紐を容易に取り付けたり取り外したりすることができる。
【０００７】
請求項２に記載の発明は、請求項１に記載の発明において、前記引き紐が、前記一端部に結び目を備え、前記凸部が、前記結び目を引っ掛けて係合する凹所を備えることを特徴とする。この構成では、通常の場合では引き紐を凸部に係合することができるとともに、引き紐に大きな力が加わった場合に、引き紐の結び目が凸部より外れるので、子供等がぶら下がって引き紐で手を切ったり、検知器が落下したりすることを防止することができる。
【０００８】
請求項３に記載の発明は、請求項１又は２に記載の発明において、前記本体が、前記フックに係合する弾性凸部を内部に備えることを特徴とする。この構成では、弾性凸部によりフックの作動方向の位置を決定することができるので、引き紐を引っ張ったときの操作感を高めることができる。
【０００９】
請求項４に記載の発明は、請求項１〜３のいずれかに記載の発明において、前記フックが、前記本体の外部に突出する釦を備えることを特徴とする。この構成では、釦を直接押すことによっても、スイッチを駆動させることができる。
【発明の効果】
【００１０】
本発明によれば、本体を分解することなく、引き紐を容易に取り付けたり取り外したりすることができる。
【発明を実施するための最良の形態】
【００１１】
先ず、本実施形態の基本的な構成について図１〜８を用いて説明する。本実施形態の検知器は、例えば火災警報器などであり、図２（ａ）に示すように、取付ベース１と、本体２と、凸部３（図２（ｂ）参照）と、回路部４と、警報音停止スイッチ５と、外部操作用フック６（図２（ｂ）参照）と、引き紐７とを備え、建物の天井面や壁面等の取付面（図示せず）に固定されるものである。
【００１２】
取付ベース１は、例えば合成樹脂等により略円板状に作製されているものであり、２つの貫通孔１０，１１を形成している。貫通孔１０は、一の面１ａでだるま状に形成され、一の面１ａと反対側にある他の面１ｂで、取付ベース１の半径方向に長い略楕円状に形成されている。一方、貫通孔１１は、取付ベース１の円周方向に長い略楕円状に形成されている。上記取付ベース１は、一の面１ａが取付面（図示せず）と対向する状態で、各貫通孔１０，１１に取付ねじ（図示せず）が挿入されて上記取付面にねじ止め固定される。
【００１３】
また、取付ベース１は、例えば半月状に形成されている貫通孔１２を中央部に有し、一の半径上に複数（図２（ａ）では４つ）の栓刃挿入孔１３・・・を形成し、さらに、各栓刃挿入孔１３の内部に一対の挟持片（図示せず）を備え、他の面１ｂに電源端子部１４を備えている。一対の挟持片は、取付ベース１の内部で電源端子部１４と電気的に接続している。電源端子部１４は、商用電源（図示せず）と電気的に接続し取付面から貫通孔１２を通って挿入される電線（図示せず）と接続する。なお、本実施形態の検知器は、商用電源を電源とするものに限定されるものではなく、電池を電源とし、上記電池を収納するために電池ホルダを設けてもよい。
【００１４】
さらに、取付ベース１は、他の面１ｂの周部に複数の係止溝１５，１５，１５を備えている。
【００１５】
本体２は、カバー２０と、内板２１とを備え、回路部４、警報音停止スイッチ５及び外部操作用フック６を収納している。
【００１６】
カバー２０は、図２（ｂ）に示すように、例えば合成樹脂等により有底筒状に形成されているものであり、円板状に形成されている底部２００と、底部２００から延設されている筒部２０１とを一体に備え、開口部２０２を有している。上記カバー２０は、筒部２０１において取付ベース１の係止溝１５，１５，１５（図２（ａ）参照）と対応する位置に、複数（図２（ｂ）では３つ）の係止片２０３，２０３，２０３を備え、各係止片２０３を各係止溝１５に係合させた状態での回動操作により、取付ベース１（図２（ａ）参照）と着脱自在に連結される。また、カバー２０は、図３（ａ）に示すように、底部２００の内面に突出している弾性凸部２０４を備え、底部２００の中心部に感知器用孔２０５を形成し、底部２００の中心部と周部との間に、ブザー用孔２０６（図２（ａ）参照）と、釦用孔２０７と、確認灯用孔２０８（図２（ａ）参照）と、２つの取付穴２４，２４とを形成し、筒部２０１に凹部２０９を形成している。
【００１７】
内板２１は、図２（ｂ）に示すように、例えば合成樹脂等により略円板状に形成され、カバー２０の開口部２０２を覆っているものであり、２つの貫通孔２１０，２１０を形成し、周端部に挿入孔２１１と凹部２１２，２１２とを形成している。上記内板２１は、各貫通孔２１０に固定ねじ２２が挿入されてカバー２０の取付穴２４にねじ止め固定される。
【００１８】
凸部３は、図１に示すように、内板２１において取付ベース１と対向する一の面２１ａに突設し、凹所３０を備えている。凹所３０は、凸部３の側面部３ａ，３ｂから見て凸部３を先端部３ｃから基端部３ｄまで貫通するものであり、後述する引き紐７の結び目７０を引っ掛けて係合する。なお、凹所３０は、上記に限定されるものではなく、引き紐を係合するものであればよく、側面部３ａ，３ｂから見て凸部３の先端部３ｃを凹状にして設けられる凹部などであってもよい。また、凹所３０は、凸部３の側面部３ａと側面部３ｂとを貫通する貫通孔であってもよい。
【００１９】
回路部４は、図２（ａ）に示すように、商用電源（図示せず）を電源とし、複数の電子部品４０と、電源確認灯４１と、煙感知器４２と、異常警報ブザー４３と、異常警報灯４６と、複数の栓刃４５・・・（図２（ｂ）参照）とが回路基板４４，４４に実装されてカバー２０に収納されるものであり、検知手段として機能する。各回路基板４４は、例えばプリント基板などである。複数の栓刃４５・・・は、本体２を取付ベース１に取り付けたときに、内板２１の栓刃挿入孔２１４・・・を介して取付ベース１の栓刃挿入孔１３・・・に挿入される。複数の電子部品４０は、電源確認灯４１、煙感知器４２、異常警報ブザー４３及び異常警報灯４６と電気的に接続している。電源確認灯４１は、商用電源から電力が供給されているときに点灯し、商用電源から電力が供給されなくなると消灯する。煙感知器４２は、カバー２０の感知器用孔２０５から外部に突出して設けられ、周囲の煙を検知する。異常警報ブザー４３は、煙感知器４２により煙を検知した場合に、警告音を鳴動する。異常警報灯４６は、煙感知器４２により煙を検知した場合に点灯する。
【００２０】
警報音停止スイッチ５は、回路基板４４上に設けられ、回路部４と接続している。異常警報ブザー４３が警告音を鳴動したときに、警報音停止スイッチ５は、後述する外部操作用フック６により駆動され、異常警報ブザー４３の鳴動を停止させる。
【００２１】
外部操作用フック６は、図４（ａ）に示すように、例えば合成樹脂等により形成されているものであり、底部６０と、底部６０の一端から延設されＬ字状を有する引っ掛け部６１と、底部６０の中央部から突出している釦６２と、底部６０の他端の両側から延設されている一対の支軸６３，６３とを一体に備え、底部６０の他端に凹部６４を形成している。引っ掛け部６１の先端部６１０は、角部を予め面取り加工されている。上記より、後述する引き紐７の係合作業を容易に行うことができる。釦６２は、図４（ｂ）に示すように、先端面６２０の一端６２０ａ側が他端６２０ｂ側より底部６０側に傾斜しているものであり、外部からの押圧操作が可能であり、揺動により警報音停止スイッチ５を動作させる操作手段である。上記外部操作用フック６は、釦６２がカバー２０の底部２００の釦用孔２０７（図５参照）を介して外部に突出し、図３（ｂ）に示すように、凹部６４が弾性凸部２０４に引っ掛けて係合し、一対の支軸６３，６３が、カバー２０の軸止め２３，２３に係合して、カバー２０に設置されている。図７は、外部操作用フック６を設置したカバー２０を上面から見た図である。引っ掛け部６１の先端部６１０は、図１に示すように、内板２１がカバー２０にねじ止め固定されたときに、内板２１の凹部２１３から外部に突出している。上記のように収納される外部操作用フック６は、警報音停止スイッチ５（図２（ａ）参照）を駆動させている。
【００２２】
引き紐７は、図６（ｂ）に示すように、一端部７ａに例えば５〜１０ｍｍの残り代を有するようにして結び目７０を備え、図１に示すように、他端部７ｂに引張部７１を備えている。引き紐７は、結び目７０を、凸部３の凹所３０に係合して固定している。また、中央部７ｃを外部操作用フック６の引っ掛け部６１の先端部６１０に引っ掛けて係合している。図６（ａ）は、引き紐７を上面から見た図である。他端部７ｂは、カバー２０の筒部２０１の凹部２０９から外部に引き出されている。上記引き紐７は、図５に示すように、他端部７ｂ側からの引張操作により外部操作用フック６の引っ掛け部６１を上下方向に移動させて警報音停止スイッチ５を外部操作する。これにより、本実施形態の検知器が人手の届きにくい建物の天井面に固定される場合であっても、引き紐７の引張部７１を牽引することにより異常警報ブザー４３の鳴動を停止させることができる。
【００２３】
次に、本実施形態の検知器の取付について説明する。先ず、図２（ｂ）に示すように、回路部４と、警報音停止スイッチ５（図２（ａ）参照）と、外部操作用スイッチ６とを、カバー２０の内部に位置合わせしながら収納する。収納した後、内板２１をカバー２０にねじ止め固定する。次に、図１に示すように、凸部３の凹所３０に、引き紐７の結び目７０を係合して固定する。また、引き紐７の中央部７ｃを外部操作用フック６の引っ掛け部６１の先端部６１０に引っ掛けて係合する。さらに、引き紐７の他端部７ｂをカバー２０の筒部２０１の凹部２０９から外部に引き出す。続いて、取付ベース１（図２（ａ）参照）を取付面（図示せず）に取り付ける。最後に、図８に示すように、本体２に商用電源（図示せず）からの電線（図示せず）を接続し、本体２を回動させて取付ベース１に取り付ける。
【００２４】
上記より、図１に示している引き紐７の結び目７０を凸部３の凹所３０に係合するとともに、カバー２０に収納されている外部操作用フック６を介して引き紐７の他端部７ｂをカバー２０の外部に引き出している。これにより、引き紐７の引張部７１を牽引すれば、外部操作用フック６が揺動して警報音停止スイッチ５（図２（ａ）参照）を外部操作することができ、異常警報ブザー４３（図２（ａ）参照）の鳴動を停止させることができる。
【００２５】
これに対して、本実施形態の検知器において、引き紐７の取り外しについて説明する。先ず、取付ベース１（図２（ａ）参照）から本体２を回動させて取り外す。次に、引き紐７の結び目７０を凸部３から取り外し、中央部７ｃを外部操作用フック６の引っ掛け部６１の先端部６１０から取り外す。最後に、引き紐７が取り外された本体２を回動させて取付ベース１に取り付ける。
【００２６】
以上、本実施形態によれば、本体２を分解することなく、引き紐７を容易に取り付けたり取り外したりすることができる。また、通常の場合では引き紐７を凸部３の凹所３０に係合することができるとともに、引き紐７に大きな力が加わった場合に、引き紐７の結び目７０が凸部３より外れるので、子供等がぶら下がって引き紐で手を切ったり、検知器が落下したりすることを防止することができる。さらに、弾性凸部２０４により外部操作用フック６の作動方向の位置を決定することができるので、引き紐７を引っ張ったときの操作感を高めることができる。釦６２を直接押すことによっても、警報音停止スイッチ５を駆動させることができる。
【００２７】
なお、本実施形態の変形例として、人の存在等を検知する人感センサであってもよい。このようなものであっても、本実施形態と同様の効果を得ることができる。
【００２８】
また、本実施形態の他の変形例として、外部操作用フックの釦は、引っ掛け部の先端部が外部に突出する内板とは異なるカバーを介して、外部に突出するものであってもよい。例えば、上記釦は、底部以外に設けられ、カバーの筒部を介して外部に突出するものであってもよい。このような構成にしても、本実施形態と同様の効果を得ることができる。
【図面の簡単な説明】
【００２９】
【図１】本発明による実施形態の検知器の斜視図である。
【図２】同上の検知器であって、（ａ）はカバー側から見た分解斜視図、（ｂ）は取付ベース側から見た分解斜視図である。
【図３】同上の検知器において、（ａ）は外部操作用フックをカバーに設置するときの斜視図、（ｂ）は外部操作用フックを設置したカバーの斜視図である。
【図４】同上の検知器の外部操作用フックであって、（ａ）は斜視図、（ｂ）は側面図である。
【図５】同上の検知器の断面図である。
【図６】同上の検知器において、（ａ）は引き紐の上面図、（ｂ）は引き紐の結び目を説明する図である。
【図７】同上の検知器において、外部操作用フックを設置したカバーの上面図である。
【図８】同上の検知器において、本体を取付ベースに取り付けるときの斜視図である。
【符号の説明】
【００３０】
２０  カバー
２０９  凹部
２１  内板
３  凸部
３０  凹所
６  外部操作用フック
６１  引っ掛け部
７  引き紐
７０  結び目
７１  引張部
【図１】
2006244408.tif 000003
【図２】
2006244408.tif 000004
【図３】
2006244408.tif 000005
【図４】
2006244408.tif 000006
【図５】
2006244408.tif 000007
【図６】
2006244408.tif 000008
【図７】
2006244408.tif 000009
【図８】
2006244408.tif 000010